(57)【要約】      （修正有）【課題】作動流量(検知スイッチが水流応動レバーの揺動を検知してオン・オフするときの流量)を水流スイッチを分解することなく簡便に調整できるようにする。【解決手段】入水口１１と、出水口１２と、入水口と出水口とを結ぶ通水路１３と、通水路の途中のレバー収納室１４を有する本体ケース１と、入水口からの水流が当たる受圧部２１を有し、受圧部に作用する水流による力で基端側の支軸２２を支点に揺動する。レバー収納室に配置した水流応動レバー２と、水流応動レバーの揺動を検知する検知スイッチ３とを備える水流スイッチにおいて、通水路１３の一部、例えば、入水口１１とレバー収納室１４との間の部分１３ａの断面積を可変する絞り部材４を備える。そして、絞り部材４の操作部４１を本体ケース１の外部から操作自在とする。【選択図】図１
2016045990.tif 000002
【特許請求の範囲】
【請求項１】
入水口と、出水口と、入水口と出水口とを結ぶ通水路と、通水路の途中のレバー収納室とを有する本体ケースと、入水口からの水流が当たる受圧部を有し、受圧部に作用する水流による力で基端側の支軸を支点に揺動する、レバー収納室に配置した水流応動レバーと、水流応動レバーの揺動を検知する検知スイッチとを備える水流スイッチにおいて、
通水路の一部の断面積を可変する絞り部材を備え、絞り部材の操作部を本体ケースの外部から操作自在とすることを特徴とする水流スイッチ。
【請求項２】
前記絞り部材は、前記入水口と前記レバー収納室との間の通水路の部分の断面積を可変することを特徴とする請求項１記載の水流スイッチ。
【請求項３】
前記絞り部材は、前記入水口と前記レバー収納室との間の通水路の部分に、前記水流応動レバーの基端側から進入するように構成されることを特徴とする請求項２記載の水流スイッチ。
【発明の詳細な説明】
【技術分野】
【０００１】
本発明は、給湯器等で通水時にバーナに点火し通水停止時にバーナを消火するために使用する水流の有無を検知する水流スイッチに関する。
【背景技術】
【０００２】
従来、この種の水流スイッチとして、入水口と、出水口と、入水口と出水口とを結ぶ通水路と、通水路の途中のレバー収納室とを有する本体ケースと、入水口からの水流が当たる受圧部を有し、受圧部に作用する水流による力で基端側の支軸を支点に自重に抗して上方に揺動する、レバー収納室に配置した水流応動レバーと、水流応動レバーの上方への揺動を検知する検知スイッチとを備えるものは知られている(例えば、特許文献１参照)。
【０００３】
ここで、特許文献１記載のものでは、水流応動レバーにウエート用のプレートを取付け、このプレートとして適切な重量のものを用いることで、実際の作動流量(検知スイッチが水流応動レバーの揺動を検知してオン・オフするときの流量)が目標流量になるように調整している。
【０００４】
然し、作動流量は、部品寸法のばらつき等で変化し、目標流量からずれてしまうことがある。この場合、上記従来例では、水流スイッチを分解して、水流応動レバーに別のウエート用プレートを付け替えることが必要になり、手間がかかる。
【先行技術文献】
【特許文献】
【０００５】
【特許文献１】実開平６−７８７６０号公報
【発明の概要】
【発明が解決しようとする課題】
【０００６】
本発明は、以上の点に鑑み、スイッチを分解することなく簡便に作動流量を調整できるようにした水流スイッチを提供することをその課題としている。
【課題を解決するための手段】
【０００７】
上記課題を解決するために、本発明は、入水口と、出水口と、入水口と出水口とを結ぶ通水路と、通水路の途中のレバー収納室とを有する本体ケースと、入水口からの水流が当たる受圧部を有し、受圧部に作用する水流による力で基端側の支軸を支点に揺動する、レバー収納室に配置した水流応動レバーと、水流応動レバーの揺動を検知する検知スイッチとを備える水流スイッチにおいて、通水路の一部の断面積を可変する絞り部材を備え、絞り部材の操作部を本体ケースの外部から操作自在とすることを特徴とする。
【０００８】
本発明によれば、絞り部材により通水路の一部の断面積を変化させることで、水流の流速が変化して、受圧部に作用する水流による力が変化し、この変化に伴い作動流量も変化する。従って、本体ケースの外部から操作部を操作するだけで、水流スイッチを分解することなく簡便に作動流量を調整できる。
【０００９】
尚、絞り部材でレバー収納室と出水口との間の通水路の部分の断面積を変化させても、作動流量を多少は変化させることができるが、入水口とレバー収納室との間の通水路の部分の断面積を絞り部材で可変すれば、作動水量をより大きく変化させることができ、有利である。
【００１０】
更に、絞り部材は、入水口とレバー収納室との間の通水路の部分に、水流応動レバーの基端側から進入するように構成されることが望ましい。これによれば、入水口とレバー収納室との間の通水路の部分の面積を狭めるため、この部分に水流応動レバーの基端側から絞り部材をより深く進入させると、水流が水流応動レバーの受圧部の支軸から離れた部分に集中的に当たって、水流応動レバーが押し上げられやすくなり、作動流量が効果的に減少する。従って、調整可能な作動流量の下限値を下げて、作動流量を広範囲に調整することができる。
【図面の簡単な説明】
【００１１】
【図１】(ａ)本発明の実施形態の水流スイッチの切断側面図、(ｂ)通水路断面積を狭めた状態での実施形態の水流スイッチの切断側面図。
【図２】実施形態の水流スイッチの切断斜視図。
【図３】他の実施形態の水流スイッチの切断側面図。
【発明を実施するための形態】
【００１２】
図１、図２を参照して、１は、本発明の実施形態の水流スイッチを構成する本体ケースを示している。本体ケース１は、下端の入水口１１と、上端の出水口１２と、入水口１１と出水口１２とを結ぶ通水路１３と、通水路１３の途中のレバー収納室１４とを有し、レバー収納室１４に、水流応動レバー２が配置されている。
【００１３】
水流応動レバー２は、入水口１１からの水流が当たる受圧部２１を有し、受圧部２１の後側（図１の右方）たる基端側の支軸２２支点にして揺動自在である。そして、通水時に受圧部２１に作用する水流による力で、図１に仮想線で示す如く、水流応動レバー２が支軸２２を支点に自重に抗して上方に揺動する。
【００１４】
尚、本実施形態では、本体ケース１の前面に、レバー収納室１４に臨む開口１５を形成し、この開口１５を通してレバー収納室１４に前方から挿入自在なレバー保持枠２３を設けている。レバー保持枠２３は、その上下両面が開放され、前部には開口１５を閉塞する蓋部２３ａが設けられ、後部下方に支軸２２が設けられている。そして、保持枠２３と一緒に水流応動レバー２を本体ケース１に脱着できるようにしている。
【００１５】
また、水流スイッチは、水流応動レバー２の上方への揺動を検知する検知スイッチ３を備えている。本実施形態では、水流応動レバー２にマグネット２４を取付けると共に、検知スイッチ３を本体ケース１の後面上部に取付けたリードスイッチで構成し、水流応動レバー２の上方への揺動でマグネット２４が検知スイッチ３に接近したときに、検知スイッチ３がオンするようにしている。
【００１６】
水流スイッチは、更に、通水路１３の一部の断面積を可変する絞り部材４を備えている。本実施形態では、入水口１１とレバー収納室１４との間の通水路１３の部分（以下、上流側通水路部と記す）１３ａの断面積を可変するように、絞り部材４を、上流側通水路部１３ａに水流応動レバー２の基端側たる後側から進入するように構成している。具体的に説明すれば、本体ケース１の後面下部に、上流側通水路部１３ａに臨む透孔１６を形成して、この透孔１６に円柱状の絞り部材４を挿入し、上流側通水路部１３ａに透孔１６を通して後側から絞り部材４が進入するようにしている。
【００１７】
また、透孔１６の後部に雌ネジ１６ａを形成すると共に、絞り部材４の後部外周に、雌ネジ１６ａに螺合する雄ネジを形成している。そして、雄ネジを形成した絞り部材４の後部を操作部４１として、この操作部４１をケース本体１の外部から回動操作することにより、絞り部材４を回動させて前後方向に螺進退させ、この螺進退で上流側通水路部１３ａの断面積が可変されるようにしている。
【００１８】
ここで、絞り部材４により上流側通水路部１３ａの断面積を狭めると、水流応動レバー２の受圧部２１に当たる水流の流速が速くなり、受圧部２１に作用する水流による力が増加し、これに伴い作動流量が減少する。従って、絞り部材４の操作部４ａを本体ケース１の外部から操作するだけで、水流スイッチを分解することなく簡便に作動流量を調整できる。
【００１９】
また、上流側通水路部１３ａの断面積を狭めるため、図１（ｂ）に示す如く、上流側通水路部１３ａに後側から絞り部材４をより深く進入させると、水流が水流応動レバー２の受圧部２１の支軸２２から離れた部分に集中的に当たって、水流応動レバー２が押し上げられやすくなり、作動流量が効果的に減少する。従って、調整可能な作動流量の下限値を下げて、作動流量を広範囲に調整することができる。
【００２０】
次に、図３に示す他の実施形態について説明する。この実施形態では、上流側通水路部１３ａの断面積を可変する上記実施形態と同様の第１の絞り部材４に加えて、レバー収納室１４と出水口１２との間の通水路の部分(以下、下流側通水路部と記す)１３ｂの断面積を可変する第２の絞り部材４´を設けている。この絞り部材４´は、本体ケース１の前面上部に形成に形成した下流側通水路部１３ｂに臨む透孔１７に挿入されており、透孔１７の前部に形成した雌ネジ１７ａに螺合する雄ネジを絞り部材４´の前部外周に形成している。そして、絞り部材４´の前部を操作部４１´として、この操作部４１´をケース本体１の外部から回動操作することにより、絞り部材４´を回動させて前後方向に螺進退させ、この螺進退で下流側通水路部１３ｂの断面積が可変されるようにしている。
【００２１】
このように下流側通水路部１３ｂの断面積を変化させた場合も、水流応動レバー２の受圧部２１に当たる水流の流速が多少は変化する。従って、第１の絞り部材４による上流側通水路部１３ａの断面積の変化で作動流量を大まかに調整した後、第２の絞り部材４´による下流側通水路部１３ｂの断面積の変化で作動流量を微調整することができる。
【００２２】
以上、本発明の実施形態について図面を参照して説明したが、本発明はこれに限定されない。例えば、上記図３の実施形態において、第１の絞り部材４を省略し、下流側通水路部１３ｂの断面積のみを第２の絞り部材４´で可変することも可能である。また上記実施形態では、絞り部材４、４´を円柱状としているが、板状のものとしてもよい。この場合、操作部は、本体ケースの外部から操作自在で絞り部材に相対回転自在に連結される、本体ケースに螺入した送りネジで構成することができる。
【００２３】
また、水流応動レバーを定位置にバネで付勢保持し、受圧部に作用する水流による力で水流応動レバーがバネの付勢力に抗して揺動するようにした水流スイッチにも同様に本発明を適用できる。尚、この場合、水流応動レバーの揺動方向は、任意の方向に設定できる。
【符号の説明】
【００２４】
１…本体ケース、１１…入水口、１２…出水口、１３…通水路、１４…レバー収納室、２…水流応動レバー、２１…受圧部、２２…支軸、３…検知スイッチ、４，４´…絞り部材、４１，４１´…操作部。
【図１】
2016045990.tif 000003
【図２】
2016045990.tif 000004
【図３】
2016045990.tif 000005